(57)【要約】【課題】  撓み抑制部材の動作性等を向上する。【解決手段】  空間を仕切るように閉鎖動作する開閉体１０と、閉鎖状態の開閉体１０の撓みを抑制する撓み抑制部材８０とを備えた開閉装置において、開閉体開放方向側の不動部位に固定されて開閉体幅方向へわたるレール部材７１と、このレール部材７１に係合して開閉体幅方向へスライドするスライド支持部材７２材とが設けられ、撓み抑制部材８０は、一端側をスライド支持部材７２に枢着するとともに、他端側を開閉体１０の閉鎖方向端部側に枢着した長尺状に設けられ、この撓み抑制部材８０は、スライド支持部材７２のスライドとスライド支持部材７２を支点にした回動により、閉鎖状態の開閉体１０の表部又は裏部に沿う撓み抑制位置と、レール部材７１に沿った収納位置との間を移動する。【選択図】  図１
2020090871.tif 000002
【特許請求の範囲】
【請求項１】
空間を仕切るように閉鎖動作する開閉体と、閉鎖状態の前記開閉体の撓みを抑制する撓み抑制部材とを備えた開閉装置において、
開閉体開放方向側の不動部位に固定されて開閉体幅方向へわたるレール部材と、このレール部材に係合して開閉体幅方向へスライドするスライド支持部材とが設けられ、
前記撓み抑制部材は、一端側を前記スライド支持部材に枢着するとともに、他端側を前記開閉体の閉鎖方向端部側に枢着した長尺状に設けられ、この撓み抑制部材は、前記スライド支持部のスライドと前記スライド支持部を支点にした回動により、閉鎖状態の前記開閉体の表部又は裏部に沿う撓み抑制位置と、前記レール部材に沿った収納位置との間を移動することを特徴とする開閉装置。
【請求項２】
前記撓み抑制部材は、前記撓み抑制位置にて、前記開閉体の幅方向の略中央部で略直立するように設けられていることを特徴とする請求項１記載の開閉装置。
【請求項３】
前記撓み抑制部材は、前記スライド支持部材に枢着された基端側ロッドと、この基端側ロッドの前記他端側に対し直線状にスライドするように接続されたスライドロッドとを具備し、前記スライドロッドの前記他端側を、前記開閉体の閉鎖方向端部側に枢着していることを特徴とする請求項１又は２記載の開閉装置。
【請求項４】
前記撓み抑制部材には、前記撓み抑制位置にて、前記開閉体の表部又は裏部に近接又は接触する緩衝部材を具備していることを特徴とする請求項１〜３何れか１項記載の開閉装置。
【請求項５】
前記レール部材は、前記開閉体の閉鎖動作に伴うスライド方向寄りの部分が、前記スライド支持部材を徐々に開閉体閉鎖方向へ導く曲線状に形成されていることを特徴とする請求項１〜４何れか１項記載の開閉装置。
【発明の詳細な説明】
【技術分野】
【０００１】
本発明は、オーバーヘッドドアを含むシャッター装置、ロールスクリーン、ブラインド、オーニング装置、門扉、ゲート、スライディングウォール装置等、スライドする開閉体により空間を仕切るようにした開閉装置に関し、特にシャッター装置として好適な開閉装置に関するものである。
【背景技術】
【０００２】
従来、この種の発明には、例えば特許文献１に記載されるように、空間を仕切るように閉鎖動作する開閉体と、この開閉体を上方側で収納する収納ケースと、前記収納ケースに一端側を枢支するとともに他端側を開閉体の下端側に枢支しその全長を伸縮するようにした棒状の撓み抑制部材とを備えたシャッター装置がある。
このシャッター装置によれば、開閉体を全閉した際に、棒状の撓み抑制部材が開閉体の表面に近接するように位置する。このため、開閉体は、強風を受ける等して撓んだ際に撓み抑制部材に当接し、その撓みが抑制される。
【先行技術文献】
【特許文献】
【０００３】
【特許文献１】特開２００６−２９９５２２公報
【発明の概要】
【発明が解決しようとする課題】
【０００４】
ところで、特許文献１には、開閉体を閉鎖した状態で棒状の撓み抑制部材を略垂直状に配設した態様が記載されている。この態様は、撓み抑制部材を傾斜配置した態様と比較し、撓み抑制位置における外観上の体裁が好ましい。しかしながら、この態様では、撓み抑制部材を折り曲げたり、撓み抑制部材の下端を縦枠部材に着脱したり等する必要があり、使い勝手及び動作性等に改善の余地がある。
【課題を解決するための手段】
【０００５】
このような課題に鑑みて、本発明は、以下の構成を具備するものである。
空間を仕切るように閉鎖動作する開閉体と、閉鎖状態の前記開閉体の撓みを抑制する撓み抑制部材とを備えた開閉装置において、開閉体開放方向側の不動部位に固定されて開閉体幅方向へわたるレール部材と、このレール部材に係合して開閉体幅方向へスライドするスライド支持部材とが設けられ、前記撓み抑制部材は、一端側を前記スライド支持部材に枢着するとともに、他端側を前記開閉体の閉鎖方向端部側に枢着した長尺状に設けられ、この撓み抑制部材は、前記スライド支持部のスライドと前記スライド支持部を支点にした回動により、閉鎖状態の前記開閉体の表部又は裏部に沿う撓み抑制位置と、前記レール部材に沿った収納位置との間を移動することを特徴とする開閉装置。
【発明の効果】
【０００６】
本発明は、以上説明したように構成されているので、撓み抑制部材の動作性等を向上することができる。
【図面の簡単な説明】
【０００７】
【図１】本発明に係る開閉装置の第一の実施態様について、全閉状態を示す正面図である。
【図２】同開閉装置の全開状態を示す正面図である。
【図３】撓み抑制部材について要部を切欠して示す構造図である。
【図４】レール部材と撓み抑制部材の係合部分を示す断面図である。
【発明を実施するための形態】
【０００８】
本実施の形態では、以下の特徴を開示している。
第一の特徴は、空間を仕切るように閉鎖動作する開閉体と、閉鎖状態の前記開閉体の撓みを抑制する撓み抑制部材とを備えた開閉装置において、開閉体開放方向側の不動部位に固定されて開閉体幅方向へわたるレール部材と、このレール部材に係合して開閉体幅方向へスライドするスライド支持部材とが設けられ、前記撓み抑制部材は、一端側を前記スライド支持部材に枢着するとともに、他端側を前記開閉体の閉鎖方向端部側に枢着した長尺状に設けられ、この撓み抑制部材は、前記スライド支持部のスライドと前記スライド支持部を支点にした回動により、閉鎖状態の前記開閉体の表部又は裏部に沿う撓み抑制位置と、前記レール部材に沿った収納位置との間を移動する（図１〜図４参照）。
この構成によれば、開閉体の撓みを撓み抑制部材によって抑制することができる上、撓み抑制部材の動作性が良好である。
【０００９】
第二の特徴として、開閉体閉鎖時の外観上の体裁を向上するために、前記撓み抑制部材は、前記撓み抑制位置にて、前記開閉体の幅方向の略中央部で略直立するように設けられている（図１参照）。
【００１０】
第三の特徴として、開閉ストロークが比較的大きい場合にも対応できるように、前記撓み抑制部材は、前記スライド支持部材に枢着された基端側ロッドと、この基端側ロッドの前記他端側に対し直線状にスライドするように接続されたスライドロッドとを具備し、前記スライドロッドの前記他端側を、前記開閉体の閉鎖方向端部側に枢着している（図３参照）。
【００１１】
第四の特徴として、開閉体と撓み抑制部材の接触音を軽減するために、前記撓み抑制部材には、前記撓み抑制位置にて、前記開閉体の表部又は裏部に近接又は接触する緩衝部材を具備している（図１及び図３参照）。
【００１２】
第五の特徴として、撓み抑制部材の動作性をより向上するために、前記レール部材は、前記開閉体の閉鎖動作に伴うスライド方向寄りの部分が、前記スライド支持部材を徐々に開閉体閉鎖方向へ導く曲線状に形成されている（図１及び図３参照）。
【００１３】
＜具体的実施態様＞
次に、上記特徴を有する具体的な実施態様について、図面に基づいて詳細に説明する。なお、以下の説明において、「開閉体厚さ方向」とは、閉鎖状態の開閉体の厚さ方向を意味する。また、「開閉体幅方向」とは、開閉体の開閉方向と略直交する方向であって、開閉体の厚さ方向ではない方向を意味する。また、「開閉体開閉方向」とは、開閉体が空間を仕切ったり開放したりするためにスライドする方向を意味する。
【００１４】
開閉装置１は、空間を仕切るように下方へ閉鎖動作する開閉体１０と、開閉体１０の幅方向の端部を凹状に囲んで閉鎖方向へ案内する左右のガイドレール２０，２０と、開閉体１０をその開放方向側で収納する収納部３０と、全閉状態の開閉体１０の下端部に対向するように設けられた下枠４０と、開閉体開放方向側の不動部位にて開閉体幅方向へわたるレール部材７１と、このレール部材７１に係合して開閉体幅方向へスライドするスライド支持部材７２と、閉鎖状態の開閉体１０が厚さ方向へ撓むのを抑制する撓み抑制部材８０とを備える（図１参照）。
この開閉装置１は、例えば、構造物開口部の窓サッシの屋外側に固定されて窓用シャッター装置を構成する。
【００１５】
開閉体１０は、横長略矩形状の金属板を曲げ加工してなるスラット１１ａを、上下に隣接するスラット１１ａ，１１ａ間で回動するように複数連接することで、開閉体本体１１を構成し、この開閉体本体１１の下側の端部に、下枠４０に当接させるための座板部材１２（水切り又は幅木と呼称される場合もある。）を、開閉体幅方向にわたって接続している。
【００１６】
この開閉体１０の幅方向の端部には、必要に応じて、開閉体厚さ方向へ突出してガイドレール２０内から抜けないように係合する抜止め部材（図示せず）が設けられる。
【００１７】
ガイドレール２０は、開閉体１０の幅方向端部を横断面略コ字状に囲んで開閉方向へ案内する部材であり、収納部３０と下枠４０との間にわたって略鉛直状に設けられる。
【００１８】
収納部３０は、収納ケース３１内に、開閉体１０を巻き取ったり繰り出したりする巻取軸（図示せず）を収納している。
収納ケース３１は、横長箱状に形成され、その下端部に、開閉体１０及び撓み抑制部材８０を遊挿する横長の開口部３１ａを有する。
また、収納ケース３１内には、必要に応じて、開閉体１０を電動で開閉させるための開閉機や動力伝達機構、制御回路等が設けられる。
【００１９】
下枠４０は、左右のガイドレール２０，２０の下端部間にわたって設けられた長尺状の部材である。
【００２０】
レール部材７１は、スライド支持部材７２を、開閉体幅方向の端部側から中央側へ略直線状に導き、さらに開閉体閉鎖方向へ曲線状に導く部材である。
詳細に説明すれば、このレール部材７１は、開閉体幅方向へわたって連続する幅方向ガイド部７１ａと、この幅方向ガイド部７１ａに対し、開閉体１０の閉鎖動作に伴うスライド方向側（図１によれば右方向側）に接続された曲線状ガイド部７１ｂとを有する。
【００２１】
幅方向ガイド部７１ａは、開閉体幅方向へ略直線状に連続する凹溝状に形成される。この幅方向ガイド部７１ａの一端側（図示の左端側）は、スライド支持部材７２を挿入可能に開口している。そして、幅方向ガイド部７１ａの他端側に、曲線状ガイド部７１ｂが連続している。
【００２２】
曲線状ガイド部７１ｂは、幅方向ガイド部７１ａに連続する凹溝状の部材である。この曲線状ガイド部７１ｂは、開閉体１０の閉鎖動作に伴うスライド方向（図示の右方向）へゆくにしたがって徐々に開閉体閉鎖方向へ向かう曲線状に形成され、その先端部を閉鎖している。前記先端部は、開閉体１０の幅方向の略中央に位置する（図１参照）。
【００２３】
これら幅方向ガイド部７１ａ及び曲線状ガイド部７１ｂは、図４に例示するように、断面略Ｃ字状に形成され、後述するスライド支持部材７２を開閉体厚さ方向へ抜けないように遊嵌している。
【００２４】
スライド支持部材７２は、レール部材７１に嵌り合ってレール部材７１の延設方向へスライドする部材であり、撓み抑制部材８０を回転自在に枢着している。
図４に示す一例について詳細に説明すれば、このスライド支持部材７２は、支持片８４に回転自在に挿通された軸状部材７２ａと、この軸状部材７２ａの基端側でレール部材７１内に係合しスライドするスライド駒部７２ｂとを一体的に具備している。スライド駒部７２ｂは、例えば円筒ローラ状や、その他のスライド可能な形状に構成される。
【００２５】
撓み抑制部材８０は、一端側をスライド支持部材７２に枢着するとともに、他端側を開閉体１０の閉鎖方向端部側に枢着した長尺状に構成される。
この撓み抑制部材８０は、スライド支持部材７２のレール部材７１に沿ったスライドと、スライド支持部材７２の軸状部材７２ａを支点にした回動とにより、閉鎖状態の開閉体１０の表部又は裏部に沿った撓み抑制位置（図１参照）と、レール部材７１に沿った収納位置（図２参照）との間を移動し、前記撓み抑制位置では、開閉体１０の幅方向の略中央部で略直立する。
【００２６】
より詳細に説明すれば、撓み抑制部材８０は、スライド支持部材７２に枢着された基端側ロッド８１と、この基端側ロッド８１の前記他端側（図１によれば下端側）に対し直線状にスライドするように接続されたスライドロッド８２と、前記撓み抑制位置にて開閉体１０の表部又は裏部に近接又は接触する緩衝部材８３とを具備する。
【００２７】
基端側ロッド８１は、金属等の硬質材料により長尺な軸状又は筒状に形成され、その一端側が開口部３１ａから収納ケース３１内に挿入され、スライド支持部材７２に対し、支持片８４を介して回転自在に枢着される（図３参照）。
【００２８】
支持片８４は、基端側ロッド８１の一端側に固定され、スライド支持部材７２の軸状部材７２ａに対し環状かつ回転自在に装着される。
【００２９】
また、スライドロッド８２は、金属等の硬質材料により長尺な筒状に形成され、その一端側が基端側ロッド８１の外周部に重ね合わせられ、基端側ロッド８１に対し直線状にスライドする。このスライドロッド８２の他端側は、開閉体１０の閉鎖方向端部側（詳細には座板部材１２）に、軸状部材及びブラケット等を介して回転自在に枢着されている。
【００３０】
緩衝部材８３は、ゴムやエラストマー樹脂等の弾性材料から形成され、少なくとも、閉鎖状態の前記開閉体における開閉方向及び横幅方向の略中央部に近接するよう配設される。
本実施の形態の好ましい一例によれば、この緩衝部材８３は、スライドロッド８２の全外周部を覆う筒状に構成され、スライドロッド８２の長手方向の略全長にわたって設けられる。
【００３１】
次に、上記構成の開閉装置１について、その特徴的な作用効果を詳細に説明する。
開閉体１０を閉鎖動作すると、撓み抑制部材８０は、その基端側をレール部材７１に沿ってスライドさせながら、スライド支持部材７２の軸状部材７２ａを支点にして回動するとともに、基端側ロッド８１及びスライドロッド８２にわたる範囲を伸長させてゆく。
そして、開閉体１０が略全閉すると、撓み抑制部材８０は、開閉体１０の表部又は裏部に近接又は接触して略直立した撓み抑制位置になる。
【００３２】
この撓み抑制位置において、開閉体１０が風を受ける等して、開閉体１０に対し厚さ方向へ撓む力が加わった場合、この開閉体１０の中央側が抑制部材８０に受けられるため、開閉体１０の撓みを抑制することができる。
また、開閉体１０が、風に煽られる等して厚さ方向へばたつき、撓み抑制部材８０に強く当接したり繰り返し当接したり等した場合でも、この当接による衝撃を緩衝部材８３によって緩和することができる。
【００３３】
また、開閉体１０を開放動作すると、撓み抑制部材８０は、基端側ロッド８１とスライドロッド８２にわたる範囲を収縮させるとともに、スライド支持部材７２をレール部材７１に沿って逆方向へ移動させながら、スライド支持部材７２の軸状部材７２ａを中心にして逆方向へ回動する（図３）。そして、この撓み抑制部材８０は、開閉体１０が略全開した時点で、収納ケース３１内でレール部材７１に沿った収納位置になる（図２参照）。
【００３４】
よって、開閉装置１によれば、閉鎖状態の開閉体１０の撓みやばたつきに起因する衝撃や、振動、騒音等を効果的に低減することができる。
その上、撓み抑制部材８０がスライドする向きを、曲線状ガイド部７１ｂにより徐々に変化させるようにしているため、その動作性が良好である。
しかも、開閉体１０の全閉状態では、撓み抑制部材８０が、開閉体１０の幅方向の略中央部に鉛直状に配置されるため、撓み抑制部材が斜めに配設される態様などと比較し、外観上の体裁が良好である。
特に、当該開閉装置１を窓サッシ等に装着し、撓み抑制部材８０が、開閉体１０と網戸又は窓の縦框との間に位置するようにすれば、撓み抑制部材８０を前記縦框によって目立たなくすることができる。
【００３５】
＜変形例＞
なお、上記開閉装置１によれば、スライドロッド８２に対し、その全長にわたって緩衝部材８３を設けたが、他例としては、スライドロッド８２に対しその長手方向の一部分に緩衝部材８３を設けた態様とすることも可能である。この場合、この部分的な緩衝部材５２は、少なくとも開閉体１０の開閉方向及び横幅方向の略中央部を含む位置に設けるのが好ましい。
【００３６】
また、上記開閉装置１によれば、スライドロッド８２に対し、その周方向へわたる環状に緩衝部材８３を設けたが、他例としては、前記周方向の一部分に緩衝部材８３を設けた態様や、周方向に分割された緩衝部材を具備する態様等とすることも可能である。この場合、部分的な緩衝部材は、少なくとも開閉体１０の表面又は裏面に対向する位置に設けられる。
【００３７】
また、上記開閉装置１によれば、基端側ロッド８１とスライドロッド８２が筒状に重なり合う態様としたが、他例としては、これら二つの部材を、長手方向へわたる凹溝と突条の嵌め合わせによって接続し、その一方が他方に対しスライドすることで全体が伸縮する態様とすることも可能である。
【００３８】
また、上記開閉装置１によれば、開閉体１０の閉鎖状態で単一の撓み抑制部材８０が配設されるようにしたが、他例としては、レール部材７１及び撓み抑制部材８０を開閉体幅方向に複数設けた態様とすることも可能である。
【００３９】
また、上記開閉装置１によれば、撓み抑制部材８０を伸縮する二つのロッドにより構成したが、他例として、特に開閉体１０の開閉ストロークが比較的短い場合等には、撓み抑制部材を単一のロッドから構成することも可能である。さらに、他例としては、撓み抑制部材を伸縮可能に接続された３以上のロッドから構成することも可能である。
【００４０】
また、上記開閉装置１によれば、レール部材７１が固定される不動部位を、収納ケース３１としたが、他例としては、前記不動部位を、当該開閉装置１の装着対象となる建物等の躯体や、その他の部位とすることも可能である。
【００４１】
また、本発明は上述した実施態様に限定されず、本発明の要旨を変更しない範囲で適宜変更可能である。
【符号の説明】
【００４２】
１：開閉装置
１０：開閉体
７１：レール部材
７１ａ：幅方向ガイド部
７１ｂ：曲線状ガイド部
７２：スライド支持部材
８０：撓み抑制部材
８１：基端側ロッド
８２：スライドロッド
８３：緩衝部材
【図１】
2020090871.tif 000003
【図２】
2020090871.tif 000004
【図３】
2020090871.tif 000005
【図４】
2020090871.tif 000006